(57)【要約】【課題】内部部品に対する防水性を確実に発揮でき、機器ケースの組立作業性も良好な防水構造を提供する。【解決手段】内部部品が組み立てられた内部ユニットと、この内部ユニットを挿入する袋状防水部材４とを備え、内部ユニットが挿入された袋状防水部材４を収納する機器ケース（ケース部材２１・２６）には、袋状防水部材４の挿入口４１を塞ぐ口締め部２９を設ける。すなわち、ケース部材２１・２６の少なくとも一方に形成されたリブ２９により袋状防水部材４の挿入口４１を挟み込む。また、袋状防水部材４は内部部品用の開口部４２・４３・４４を有している。この開口部４２・４３・４４をカバー部材５・６・７で塞ぐ。【選択図】図２
2006287313.tif 000002
【特許請求の範囲】
【請求項１】
電子部品を含む内部部品を機器ケースに収納してなる電子機器の防水構造であって、
内部部品が組み立てられた内部ユニットと、
この内部ユニットを挿入する袋状防水部材とを備え、
内部ユニットが挿入された袋状防水部材を収納する機器ケースには、袋状防水部材の挿入口を塞ぐ口締め部を設けたことを特徴とする電子機器の防水構造。
【請求項２】
前記袋状防水部材は内部部品用の開口部を有し、
この開口部を塞ぐカバー部材を設けたことを特徴とする請求項１に記載の電子機器の防水構造。
【請求項３】
前記機器ケースは二つのケース部材が合体して構成され、
前記口締め部は、二つのケース部材の少なくとも一方に形成されて前記袋状防水部材の前記挿入口を挟み込むリブであることを特徴とする請求項１または２に記載の電子機器の防水構造。
【請求項４】
前記袋状防水部材は配線基板用の導出口を有し、
配線基板には、前記導出口を塞ぐ防水パッキンを設けたことを特徴とする請求項１から３のいずれか一項に記載の電子機器の防水構造。
【発明の詳細な説明】
【技術分野】
【０００１】
本発明は、電子機器における防水構造に関する。
【背景技術】
【０００２】
携帯電話機などの電子機器ケースにおいて、２つのケース部材の嵌め合わせ部にＯリングなどのパッキンを挟み込み圧縮する方法が一般的な防水構造である（例えば特許文献１の図３（Ａ）の符号４６参照）
【特許文献１】特開２００１−２１５８８５号公報
【発明の開示】
【発明が解決しようとする課題】
【０００３】
しかし、特許文献１のような防水構造は、ケース部材の側壁端面、すなわち、他方のケース部材との嵌め合わせ面にＯリングなどの防水パッキンを載置するためのパッキン溝を形成しなければならないので、ケース部材の側壁の厚みが厚くなり、機器ケースが大型化し、特に幅広になるという不都合がある。
また、ネジによるケース部材の締め付けでＯリングなどの防水パッキンを圧縮して防水効果を得る防水構造であるので、ネジ止め部間の間隔が広いと、締め付け力（押圧力）が最も弱くなるネジ止め部間の中間部で十分な防水効果を得ることができなくなったり、Ｏリングなどの防水パッキンの反発力で両ケースの嵌め合わせ部に隙間が生じたりするという不都合がある。また逆に、ネジ止め部を増やしてネジ止め部間の間隔を狭くすると、構造が複雑化するとともに部品点数や組立工数が増加するという不都合がある。
【０００４】
本発明の課題は、内部部品に対する防水性を確実に発揮でき、機器ケースの組立作業性も良好な防水構造を提供することである。
【課題を解決するための手段】
【０００５】
以上の課題を解決するため、請求項１に記載の発明は、例えば図１、図２及び図５に示すように、電子部品を含む内部部品を機器ケース２に収納してなる電子機器の防水構造であって、内部部品が組み立てられた内部ユニットと、この内部ユニットを挿入する袋状防水部材４とを備え、内部ユニットが挿入された袋状防水部材４を収納する機器ケース２には、袋状防水部材４の挿入口４１を塞ぐ口締め部２５・２９を設けたことを特徴とする。
【０００６】
請求項１に記載の発明によれば、内部ユニットが挿入された袋状防水部材を機器ケースに収納して、その袋状防水部材の挿入口を機器ケースに設けた口締め部により塞ぐことで、袋状防水部材により内部ユニットへの水侵入対策部を極力小さくできる。しかも、内部ユニットが挿入された袋状防水部材を機器ケースに収納すれば良いので、機器ケースの組立作業も容易になる。また、内部ユニットを袋状防水部材で覆うことで、衝撃などに対する緩衝効果も期待できる。
【０００７】
請求項２に記載の発明は、請求項１に記載の電子機器の防水構造であって、例えば図２から図４に示すように、前記袋状防水部材４は内部部品用の開口部４２・４３・４４を有し、この開口部を塞ぐカバー部材５・６・７を設けたことを特徴とする。
【０００８】
請求項２に記載の発明によれば、袋状防水部材の内部部品用の開口部をカバー部材で塞ぐことにより、防水性を維持できる。
【０００９】
請求項３に記載の発明は、請求項１または２に記載の電子機器の防水構造であって、例えば図２及び図５に示すように、前記機器ケース２は二つのケース部材２１・２６が合体して構成され、前記口締め部は、二つのケース部材２１・２６の少なくとも一方に形成されて前記袋状防水部材４の前記挿入口４１を挟み込むリブ２５・２９であることを特徴とする。
【００１０】
請求項３に記載の発明によれば、合体して機器ケースを構成する二つのケース部材の少なくとも一方に形成されたリブにより袋状防水部材の挿入口を挟み込んで塞ぐことができる。
【００１１】
請求項４に記載の発明は、請求項１から３のいずれか一項に記載の電子機器の防水構造であって、例えば図２及び図５に示すように、前記袋状防水部材４は配線基板８用の導出口４５を有し、配線基板８には、前記導出口４５を塞ぐ防水パッキン９を設けたことを特徴とする。
【００１２】
請求項４に記載の発明によれば、袋状防水部材の配線基板用の導出口を、配線基板に設けた防水パッキンで塞ぐことにより、防水性を維持できる。
【発明の効果】
【００１３】
本発明によれば、袋状防水部材により内部ユニットへの水侵入対策部を極力小さくして防水信頼性を向上できるとともに、機器ケースの組立作業性も良好なものとなる。また、内部ユニットを袋状防水部材で覆うことにより、衝撃などに対する緩衝効果も期待できる。さらに、機器ケースは防水機能が必要ないので、防水パッキンを挟んだ場合の反発力によるケースの開きは発生しない。しかも、機器ケースにはパッキン溝を形成しない分、内部容量を多く取ることができるといった利点が得られる。
【発明を実施するための最良の形態】
【００１４】
以下、図を参照して本発明を実施するための最良の形態を詳細に説明する。
図１及び図２は折畳み式携帯電話機への適用例を示したもので、１は操作部側機器ケース（下筐体）、１１はマイク孔（開口部）、２は表示部側機器ケース（上筐体）、２１は上ケース部材、２２は受話用スピーカ孔（開口部）、２３はメイン表示窓（開口部）、２６は下ケース部材、２７がサブ表示窓、３はヒンジ部、３１はヒンジカバー、４は袋状防水部材、５はメイン表示部カバー部材、６はサブ表示部カバー部材、７はスピーカ孔カバー部材である。
操作部側機器ケース１は、従来と同様、上下の両ケース部材の嵌め合わせ部にリング状のパッキン部材が介在される。
【００１５】
表示部側機器ケース２は、電子部品を含む内部部品が組み立てられた内部ユニットを挿入したゴム製の袋状防水部材４を収納するもので、上下の両ケース部材２１・２６がパッキン部材を介在させないでネジ止め結合されている。
上ケース部材２１は、小さな開口部である受話用スピーカ孔２２と大きな開口部であるメイン表示窓２３を有するとともに、配線基板用導出口２４を有している。
下ケース部材２６は、比較的大きな開口部をなすサブ表示窓２７を有するとともに、四隅部にネジ通し孔２８を有している。
【００１６】
袋状防水部材４は、両ケース部材２１・２６の合体状態での内部空間に対応する形状のゴム袋により形成され、一端部に挿入口４１を有している。この挿入口４１から内部ユニットが挿入して袋状防水部材４内に収納される。
内部ユニットは、図示しないが、メイン表示部を構成するＬＣＤなどの表示装置やサブ表示部を構成するＬＣＤなどの表示装置、これらの駆動用ＩＣ、受話用スピーカなどの電子部品が回路基板上に搭載され、回路モジュールとして予め組み立ててなる。
【００１７】
さらに、袋状防水部材４には、メイン表示部用開口部４２、サブ表示部用開口部４３、スピーカ用開口部４４、配線基板用導出口４５を有するとともに、挿入口４１と反対側端部の二隅部にネジ通し孔４６を有している。なお、ネジ通し孔４６は、袋状防水部材４の内部空間には連通していない。また、ネジ通し孔４６側において、下ケース部材２６のネジ通し孔２８を有するボス部に対応する部分は小凹部４７となっている。
【００１８】
メイン表示部用開口部４２には、図３に示したように、メイン表示部カバー部材５が防水タイプの両面テープ５１により貼り付けられている。このメイン表示部カバー部材５は、図示のように、上ケース部材２１のメイン表示窓２３を塞ぐ透明パネルである。
サブ表示部用開口部４３には、サブ表示部カバー部材６が図示しないが同様に防水タイプの両面テープにより貼り付けられている。このサブ表示部カバー部材６は上ケース部材２１のサブ表示窓２７を塞ぐ透明パネルである。
【００１９】
スピーカ用開口部４４には、図４に示したように、スピーカカバー部材７が防水タイプの両面テープ７１により貼り付けられている。このスピーカカバー部材７は、図示のように、上ケース部材２１の受話用スピーカ孔２２を塞ぐ防水膜である。
【００２０】
配線基板用導出口４５には、図５に示したように、フィルム状の配線基板であるＦＰＣ８が防水パッキン９を介して袋状防水部材４の内部から外部に導出されている。このＦＰＣ８は、図示のように、外周に防水パッキン９を備えていて、この防水パッキン９が配線基板用導出口４５にインサートした金属リング４９内に嵌合されている。この金属リング４９は、図示のように、上ケース部材２１の配線基板用導出口２４の内部まで突出している。なお、ＦＰＣ８と袋状防水部材４内に収納される内部ユニットとの接続は、内部ユニットを袋状防水部材４内に収納する前に、金属リング４９内を挿通させたＦＰＣ８の一方のコネクタ部を内部ユニットの対応するコネクタ部に差し込むようにしても良いし、内部ユニット側のコネクタ部の位置を、内部ユニットを袋状防水部材４内に収納する途中或いは収納完了時に金属リング４９と重なる位置にしておき、内部ユニット側のコネクタ部が金属リング４９と重なる位置となった時に、ＦＰＣ８の一方のコネクタ部を上ケース部材２１の外側から金属リング４９内に挿入して内部ユニットのコネクタ部に差し込むようにしても良い。
こうして袋状防水部材４及び上ケース部材２１から導出されたＦＰＣ８は、ヒンジカバー３１内を通して操作部側機器ケース１に内蔵した回路基板（図略）に接続される。なお、ヒンジカバー３１の上ケース部材２１への取り付けは、ＦＰＣ８を上ケース部材２１から導出した後に、両面テープにより行う。
【００２１】
そして、袋状防水部材４の挿入口４１は、図５に示したように、上ケース部材２１及び下ケース部材２６の内部に対応して形成したリブ２５・２９の間に挟み込むことで塞がれる。すなわち、上ケース部材２１及び下ケース部材２６の内部には、ヒンジ部３側の端部に横方向にわたって対応形状のリブ２５・２９が形成されており、この一対のリブ２５・２９が袋状防水部材４の口締め部を構成する。
【００２２】
以上の表示部側機器ケース２は、内部ユニットが収納された袋状防水部材４を上ケース部材２１と下ケース部材２６との間に挟み込んで、下ケース部材２６側からネジ通し孔２８・４６に挿入したネジ（図略）を上ケース部材２１に締め付けて合体される。
【００２３】
このように、表示部側機器ケース２において、内部ユニットが挿入された袋状防水部材４を収納して、その挿入口４１を上ケース部材２１及び下ケース部材２６に設けた口締め部（リブ）２５・２９により塞いだため、袋状防水部材４により内部ユニットへの水侵入対策部を極力小さくできる。
そして、袋状防水部材４は、メイン表示部用開口部４２をメイン表示部カバー部材５で塞ぎ、サブ表示部用開口部４３をサブ表示部カバー部材６で塞ぐとともに、スピーカ用開口部４４をスピーカカバー部材７で塞いだため、防水性は確保されている。
さらに、袋状防水部材４は、配線基板用導出口４５を、ＦＰＣ８に設けた防水パッキン９で塞いだだめ、防水性は確保されている。
【００２４】
しかも、表示部側機器ケース２には、内部ユニットが挿入された袋状防水部材４を収納すれば良いだけのため、上ケース部材２１及び下ケース部材２６の合体組立作業もビス止めだけで容易なものとなっている。
また、袋状防水部材４で覆っているため、内部ユニットの衝撃などに対する緩衝効果も期待できるものである。
【００２５】
従って、表示部側機器ケース２には防水機能が必要なくなるため、従来のような防水パッキンを挟んだ場合の反発力によるケースの開きは発生しないものとなる。
また、表示部側機器ケース２にはパッキン溝を形成しないため、その分だけ内部容量を多く取ることができるものとなる。
【００２６】
なお、以上の実施形態においては、折畳み式の携帯電話機としたが、一体型の携帯電話機にも同様に適用でき、さらに本発明はこれに限定されるものではなく、デジタルカメラやＰＤＡやその他の電子機器であっても良い。
そして、実施形態では、袋状防水部材の挿入口を塞ぐ口締め部を、両ケース部材に設けたリブとしたが、少なくとも一方のケース部材に設けた単独のリブでも良く、また、口締め部はリブの他に面で挟み込む構造にしても良い。
さらに、袋状防水部材の材質や形状等も任意であり、その他、具体的な細部構造等についても適宜に変更可能であることは勿論である。
【図面の簡単な説明】
【００２７】
【図１】本発明を適用した一実施形態の構成を示すもので、折畳み式携帯電話機の表示側ユニットに適用した例を示す斜視図である。
【図２】図１の表示側ユニットの構成を示す分解斜視図である。
【図３】表示カバ−部の防水構造を示す断面図である。
【図４】受話用スピーカ孔部の防水構造を示す断面図である。
【図５】袋状防水部材の挿入口とＦＰＣ導出口の防水構造を示す断面図である。
【符号の説明】
【００２８】
２  機器ケース
２１・２６  ケース部材
２２  スピーカ孔（開口部）
２３・２７  表示窓（開口部）
２４  配線基板用導出口
２５・２９  リブ（口締め部）
２８  ネジ通し孔
４  袋状防水部材
４１  挿入口
４２・４３  表示部用開口部
４４  スピーカ用開口部
４５  配線基板用導出口
４６  ネジ通し孔
５・６  表示部カバー部材
７  スピーカカバー部材
８  ＦＰＣ（配線基板）
９  防水パッキン
【図１】
2006287313.tif 000003
【図２】
2006287313.tif 000004
【図３】
2006287313.tif 000005
【図４】
2006287313.tif 000006
【図５】
2006287313.tif 000007